(57)【要約】本接続システムは減衰またはフィルタリングコンポーネントまたはその両方が埋め込まれた、または極低温冷却量子コンピュータなどの多様な環境で使用するためのアダプタハウジング内に取り外し可能に挿入可能なアダプタ内に定インピーダンスコネクタを利用する。接続システムは、密閉されたトッププレートを通過する高密度のケーブルを備え、信号線からの熱エネルギーを減らすために冷却ブロックにアクセスできる。アッテネータまたはフィルタ回路は、定インピーダンスのコネクタハウジングに埋め込まれているか、信号が極低温環境を通過する際の信号強度を低下させ、外部の電気信号ノイズを除去するために、各端で接続して定インピーダンス接続を形成するアダプタを備える。
2020523770.tif 000002
【特許請求の範囲】
【請求項１】
多段ステージを介して信号ケーブルに伝送するための接続システムであって、少なくとも１段のステージは、
第１の定インピーダンスレセプタクルコネクタまたは第１の定インピーダンスプラグコネクタにより終端される中心導体を有する第１の信号ケーブルと、
第１の信号ケーブルを固定するための第１のコネクタハウジングと、
第１のプレートに装着されるヘッダハウジングであって、該ヘッダハウジングが第１の側に装着される第１のヘッダハウジング定インピーダンスレセプタクルコネクタまたは第１のヘッダハウジング定インピーダンスプラグコネクタと、第１の側に対向する第２の側に装着される第２のヘッダハウジング定インピーダンスレセプタクルコネクタまたは第２のヘッダハウジング定インピーダンスプラグコネクタとを有し、第１のコネクタハウジングが定インピーダンスケーブル接続で第１の側にヘッダハウジングを取り付けるように、第１の側の第１のヘッダハウジングコネクタが第１の信号ケーブルの第１の定インピーダンスレセプタクルコネクタまたは第１の定インピーダンスプラグコネクタと相補的である、ヘッダハウジングと、
第２の信号ケーブルを包覆する第２のコネクタハウジングであって、第２の信号ケーブルが第２の定インピーダンスレセプタクルコネクタまたは第２の定インピーダンスプラグコネクタにより終端された中心導体を有し、第２のコネクタハウジングが定インピーダンスケーブル接続で第２の側にヘッダハウジングを結合するように、第２の信号ケーブルの第２のコネクタハウジングが第２の側のヘッダハウジング定インピーダンスレセプタクルコネクタまたはヘッダハウジング定インピーダンスプラグコネクタと相補的なコネクタである、第２のコネクタハウジングと
を含む、接続システム。
【請求項２】
前記第１および第２の側の前記ヘッダハウジングコネクタ間に配置され、そこを通過する前記中心導体をシーリングするためのシールを含む、請求項１に記載の接続システム。
【請求項３】
前記ヘッダハウジングは、前記第１および第２の信号ケーブルの信号減衰および／または電気信号フィルタリングのために、一端が前記ヘッダハウジング定インピーダンスプラグコネクタに、他端が前記ヘッダハウジング定インピーダンスレセプタクルコネクタに接続された取り外し可能なアッテネータまたはフィルタ構成要素を含む、請求項１に記載の接続システム。
【請求項４】
前記第１のプレートが、定インピーダンスのコネクタ、アッテネータ、および／またはフィルタのためのヒートシンクまたは接地電位、あるいはその両方である、請求項１に記載の接続システム。
【請求項５】
前記第１のプレートが冷却プレートである、請求項１に記載の接続システム。
【請求項６】
前記第１ケーブルの前記第１定インピーダンスレセプタクルコネクタまたは前記第１定インピーダンスプラグコネクタは、前記第１および第２信号ケーブルの信号減衰および／または電気信号フィルタリングのために埋め込まれたアッテネータまたはフィルタ構成要素を含む、請求項１に記載の接続システム。
【請求項７】
前記第２ケーブルの前記第２定インピーダンスレセプタクルコネクタまたは前記第２定インピーダンスプラグコネクタは、前記第１および第２信号ケーブルの信号減衰および／または電気信号フィルタリングのために埋め込まれたアッテネータまたはフィルタ構成要素を含む、請求項１に記載の接続システム。
【請求項８】
追加の接続システムステージが前記少なくとも１つのステージに接続される、請求項１に記載の接続システム。
【請求項９】
多段ステージを介して信号ケーブルに伝送するための接続システムであって、
複数の第１の信号ケーブルであって、該複数の第１の信号ケーブルの少なくとも１つが定インピーダンスレセプタクルコネクタまたは定インピーダンスプラグコネクタにより終端される中心導体を含む、第１の信号ケーブルと、
第１の信号ケーブルの各々を固定するための第１のコネクタハウジングと、
第１のプレートに装着されるヘッダハウジングであって、該ヘッダハウジングは第１の側に装着される定インピーダンスレセプタクルコネクタまたは定インピーダンスプラグコネクタと第１の側に対向する第２の側に装着される定インピーダンスプラグコネクタまたは定インピーダンスレセプタクルコネクタとを有し、第１のコネクタハウジングが定インピーダンスケーブル接続で第１の側にヘッダハウジングを取り付けるように、第１の側のヘッダハウジングコネクタと複数の第１の信号ケーブルのうちの少なくとも１つの定インピーダンスレセプタクルコネクタまたは定インピーダンスプラグコネクタとが相補的なコネクタを形成する、ヘッダハウジングと、
複数の第２の信号ケーブルを有する第２のコネクタハウジングであって、複数の第２の信号ケーブルの少なくとも１つが定インピーダンスレセプタクルコネクタまたは定インピーダンスプラグコネクタにより終端される中心導体を有し、第２のコネクタハウジングが定インピーダンスケーブル接続で第２の側にヘッダハウジングを取り付けるように、第２の信号ケーブルの第２のコネクタハウジングと第２の側のヘッダハウジングコネクタの定インピーダンスレセプタクルコネクタまたは定インピーダンスプラグコネクタとが相補的なコネクタを形成する、第２のコネクタハウジングと
を含む、接続システム。
【請求項１０】
上方部分および下方部分を有する下方ハウジングステージであって、下方ハウジングステージが第２のプレートに装着され、ヘッダハウジングから第２の側に延びる複数の第２の信号ケーブルに接続するように、下方ハウジングステージの上方部分が複数の修正された定インピーダンスコネクタを含む、請求項９に記載の接続システム。
【請求項１１】
前記修正された定インピーダンスコネクタは、信号減衰または電気信号フィルタリングのために埋め込まれたアッテネータまたはフィルタ構成要素をそれぞれ含み、前記下方ハウジングステージ下部は、複数の第３の信号ケーブルで終端する定インピーダンスコネクタレセプタクルまたは定インピーダンスプラグを含む、請求項１０に記載の接続システム。
【請求項１２】
前記第２のプレートは、前記修正された定インピーダンスコネクタのためのヒートシンクまたは接地電位、あるいはその両方である、請求項１０に記載の接続システム。
【請求項１３】
前記第２のプレートは冷却プレートである、請求項１０に記載の接続システム。
【請求項１４】
前記下方ハウジングステージの上部および下方ハウジングステージの下部に、それぞれ、前記第２のプレートに取り付けられたクランプに取り付けるための延長リブを含む、請求項１０に記載の接続システム。
【請求項１５】
前記修正された定インピーダンスコネクタアッテネータまたはフィルタは、前記下方ハウジングステーの上部または前記下方ハウジングステージの下部に圧入される、請求項１１に記載の接続システム。
【請求項１６】
複数の第２の信号ケーブルを終端するためのプラグハウジングブロックまたはレセプタクルハウジングブロックであって、プラグハウジングブロックが複数の第２の信号ケーブルの各々のための定インピーダンスプラグコネクタ、または複数の第２の信号ケーブルの各々のための定インピーダンスレセプタクルコネクタ、或いはそれらの組合せを含む、プラグハウジングブロックまたはレセプタクルハウジングブロックと、
アッテネータハウジング、フィルタハウジング、または両者を装着するための複数の開口を有するアダプタハウジングであって、アッテネータハウジングおよび／またはフィルタハウジングの各々が複数の第２の信号ケーブルの１つの信号ケーブルと関連され、プラグハウジングブロックの相補的な定インピーダンスコネクタと結合するように、アダプタハウジングの第１の側に相補的な定インピーダンスコネクタを有する、アダプタハウジングと、
第２の側にアダプタハウジングを結合するためのレセプタクルハウジングブロックであって、複数の第２の信号ケーブルと電気的に接続する定インピーダンスプラグコネクタ、または複数の第２の信号ケーブルと電気的に接続する定インピーダンスレセプタクルコネクタ、或いはそれらの組合せを含み、そしてそこから延びる複数の第３の信号ケーブルを有する、レセプタクルハウジングブロックと
を含み、
レセプタクルハウジングブロックの相補的な定インピーダンスコネクタがアダプタハウジングの第２側に相補的な定インピーダンスコネクタを結合するように、レセプタクルハウジングブロックがアダプタハウジングの第２の側にアダプタハウジングを結合される、
請求項９に記載の接続システム。
【請求項１７】
前記アッテネータハウジング、前記フィルタハウジング、またはその両方が、それぞれ、前記ハウジングアダプタの各開口の内壁への電気的連通関係、熱的連通関係、電磁干渉保護、またはそれらの任意の組み合わせのための弾性コンポーネントを含む、請求項１６に記載の接続システム。 
【請求項１８】
第２下部ハウジングステージを取り付けるための少なくとも１つの追加プレートと、前記複数の第３信号ケーブルと電気通信する第２の組の複数の修正された定インピーダンスコネクタを備えた前記下方ハウジングステージと、信号減衰または電気信号フィルタリングのために、それぞれに埋め込まれた第２のアッテネータまたは第２のフィルタ構成要素を備えた第２の組の修正された定インピーダンスコネクタとを含む、請求項１１に記載の接続システム。
【請求項１９】
追加のプレートと、
少なくとも１つの追加のプレートに第３の信号ケーブルに電気的に接続して装着される第２のプラグハウジングブロックまたはレセプタクルハウジングブロックであって、プラグハウジングブロックが複数の第３の信号ケーブルの各々のための定インピーダンスプラグコネクタ、または複数の第３の信号ケーブルの各々のための定インピーダンスレセプタクルコネクタ、或いはそれらの組合せを含む、第２のプラグハウジングブロックまたはレセプタクルハウジングブロックと、
第２のアッテネータハウジング、第２のフィルタハウジング、または両者を装着するための複数の開口を有する第２のアダプタハウジングであって、第２のアッテネータハウジングおよび／または第２のフィルタハウジングの各々が複数の第３の信号ケーブルの１つの信号ケーブルと接続され、そして第２のプラグハウジングブロックの相反的定インピーダンスコネクタと結合するための第２のアダプタハウジングの第１の側に相補的な定インピーダンスコネクタを有する、第２のアダプタハウジングと、
第２のアダプタハウジングの第２の側に結合するための第２のレセプタクルハウジングブロックであって、複数の第３の信号ケーブルと電気的に接続する定インピーダンスプラグコネクタ、または複数の第３の信号ケーブルと電気的に接続する定インピーダンスレセプタクルプラグコネクタ、或いはそれらの組合せを含み、そしてそこから延びる複数の第４の信号ケーブルを有する、第２のレセプタクルハウジングブロックと
を含み、
第２のレセプタクルハウジングブロックの相補的な定インピーダンスコネクタが第２のアダプタハウジングの第２の側の相補的な定インピーダンスコネクタに結合するように、第２のレセプタクルハウジングブロックが第２のアダプタハウジングの第２の側で第２のアダプタハウジングに結合される、
請求項１６に記載の接続システム。
【請求項２０】
前記アッテネータは、最大４０ｄＢの減衰を提供する、請求項１１に記載の接続システム。
【請求項２１】
前記第２のアッテネータは、４０ｄＢ未満の減衰を提供する、請求項１８に記載の接続システム。
【請求項２２】
前記定インピーダンスコネクタが非磁性材料を含む、請求項９に記載の接続システム。
【請求項２３】
前記の定インピーダンスレセプタクルコネクタは、整合されたインピーダンスを促進するために中心導体の周りに安定化ボビンを含む、請求項９に記載の接続システム。
【請求項２４】
前記第１および第２のアッテネータまたはフィルタがケーシング内にあり、当該ケーシングが前記修正された定インピーダンスコネクタハウジングの内部空洞内に固定されている、請求項１８に記載の接続システム。
【請求項２５】
複数の第２の信号ケーブルまたは前記複数の第３の信号ケーブル、またはその両方が超伝導ケーブル材料から成る、請求項１１に記載の接続システム。
【請求項２６】
接続システムにおける電気信号の電気的減衰または電気的フィルタリングのための定インピーダンスコネクタであって、
上方本体部分と下方本体部分とを有するハウジングを含み、
上方本体部分が第１の中心導体と接続する定インピーダンスレセプタクルまたはプラグ端部を有し、
下方本体部分が第２の中心導体と接続する定インピーダンスプラグまたはレセプタクル端部を有し、第２のハウジング部分が第１のハウジング部分に着脱自在に取付け可能であり、
ハウジング上方本体部分、ハウジング下方本体部分、または両者がその中に組み込まれるアッテネータまたはフィルタ構成要素を固定するための内部空洞を形成し、アッテネータまたはフィルタ構成要素が第１および第２の中心導体における電気信号を減衰またはフィルタリングする、
定インピーダンスコネクタ。
【請求項２７】
両端が定インピーダンスレセプタクルまたは定インピーダンスプラグで終端されたアダプタハウジング内に、アッテネータコンポーネントまたはフィルタ構成要素を備え、アッテネータまたはフィルタを定インピーダンス信号ケーブルに実装するためのアダプタ。
【請求項２８】
一方の側で前記アダプタハウジングと機械的、電気的、および/または熱的に伝通関係を有し、他方の側でアダプタハウジング取付構造と機械的、電気、および/または熱的に連通関係を有する弾性部品を含み、 前記アダプタハウジング取り付け構造と接続する前記弾性部品は、前記アダプタを通過する信号のために、ヒートシンク、接地電位、電磁干渉保護、またはそれらの任意の組み合わせを提供する、請求項２７に記載のアダプタ。
【請求項２９】
多段ステージ接続システムにおける電気ケーブルの接続方法であって、
第１の定インピーダンスレセプタクルコネクタまたは第１の定インピーダンスプラグコネクタにより終端される中心導体を有する第１の信号ケーブルを第１のコネクタハウジングに接続し、
ヘッダハウジングの第１の側に装着された第１のヘッダハウジング定インピーダンスレセプタクルコネクタまたは第１のヘッダハウジング定インピーダンスプラグコネクタを取り付け、
第１の側に対向するヘッダハウジングの第２の側に取り付けられた第２のヘッダハウジング定インピーダンスレセプタクルコネクタまたは第２のヘッダハウジング定インピーダンスプラグコネクタを取り付け、そこにおいて、第１のコネクタハウジングが定インピーダンスケーブル接続で第１の側のヘッダハウジングに結合するように、第１の側の第１のヘッダハウジングコネクタが第１の信号ケーブルの第１のヘッダハウジング定インピーダンスレセプタクルコネクタまたは第１のヘッダハウジング定インピーダンスプラグコネクタと相補的であり、
ヘッダハウジングを第１のプレートに取り付け、
第２のコネクタハウジングに第２の信号ケーブルを接続し、そこにおいて、第２の信号ケーブルが第２の定インピーダンスレセプタクルコネクタまたは第２の定インピーダンスプラグコネクタによって終端された中心導体を有し、第２のコネクタハウジングが定インピーダンスケーブル接続で第２の側にヘッダハウジングを取り付けるように、第２の信号ケーブルの第２のコネクタハウジングが第２の側でヘッダハウジング定インピーダンスレセプタクルコネクタまたはヘッダハウジング定インピーダンスプラグコネクタと相補的なコネクタであり、そして
第２のコネクタハウジングをヘッダハウジングに取り付ける
ことにより第１のステージ接続を形成することを含む、接続方法。
【請求項３０】
前記第１および第２の側の前記ヘッダハウジングコネクタ間に位置するシールを挿入して、そこを通過する前記中心導体をシールする、請求項２９に記載の方法。
【請求項３１】
前記第１および第２の信号ケーブルの信号減衰および／または電気信号フィルタリングのために、一端で前記ヘッダハウジング定インピーダンスプラグコネクタに、および反対の端で前記ヘッダハウジング定インピーダンスレセプタクルコネクタに、取り外し可能なアッテネータまたはフィルタ構成要素を接続する、請求項２９に記載の方法。
【請求項３２】
アダプタハウジング内の取り外し可能であり挿入可能なアダプタ内に減衰またはフィルタリングコンポーネントまたはその両方を埋め込む、請求項２９に記載の方法。
【請求項３３】
前記アダプタハウジングの一端を前記ヘッダハウジング定インピーダンスプラグコネクタに接続し、反対側の端を前記ヘッダハウジング定インピーダンスレセプタクルコネクタに接続する、請求項３２に記載の方法。
【請求項３４】
第２のステージ接続を前記第１のステージ接続に電気的に接続する、請求項２９に記載の方法。
【請求項３５】
前記第２のステージ接続は、第２のステージ上部コネクタハウジング、プレートに取り付けられた第２のステージヘッダハウジング、および第２のステージ下部コネクタハウジングを含み、相補的な定インピーダンスプラグおよびレセプタクルが前記第２のステージ上部に取り付けられ、前記第２のステージヘッダハウジング、および前記第２のステージ下部コネクタハウジングは、そこを通過する信号ケーブルのための定インピーダンス電気接続を形成する、請求項３４に記載の方法。
【発明の詳細な説明】
【技術分野】
【０００１】
本発明は、既知の定インピーダンスコネクタの特性を利用する定インピーダンスコネクタシステムに関するものであり、減衰および／またはフィルタリングコンポーネントが埋め込まれているものを含むものである。定インピーダンスコネクタシステムは、コンピュータテクノロジーで使用するため、および量子コンピュータの接続システム用に設計されており、より具体的には、本発明は、極低温に冷却された量子コンピュータでの使用に適合させることができるものであり、定インピーダンスコネクタは、交換可能なアダプタ形状とすることができるものである。
【背景技術】
【０００２】
今日のコンピュータは、０または１の２つの状態のいずれかに存在するビットを操作することにより動作している。対して、量子コンピュータは２つの状態に限定されず、重ね合わせて存在できる量子ビット又はキュービットとして情報をエンコードするものである。キュービットは、原子、イオン、光子、または電子と、コンピュータメモリおよび/またはプロセッサとして機能するように連係して動作するそれぞれの制御デバイスを表す。量子コンピュータにはこれらの複数の状態を同時に含めることができるため、今日の最も強力なスーパーコンピュータよりも数百倍も強力になる可能性がある。
【０００３】
キュービットのこの重ね合わせは、量子コンピュータに固有の並列性を与えるものである。この並列性により、量子コンピュータは一度に１００万の計算を処理できる。
【０００４】
キュービットの物理的属性が進歩し続けると共に、量子マシンを実現するという課題に対処するには、今日のシステムをはるかに超える複雑な新しいハードウェアおよび制御アーキテクチャのエンジニアリングが必要である。そのようなシステムの進歩の1つは、超伝導体ベースのコンポーネントを使用した極低温での計算の実装である。極低温操作には多くの利点があり、そのいくつかを挙げると、キャリアの移動度と飽和速度の増加、より高い動作速度につながること、より低いノイズレベル、導電率の増加、統合密度の増加、熱的に活性化される分解プロセスの抑制がある。極低温操作の欠点としては、適切な冷却システムの必要性、低温動作に最適化された材料とコンポーネントの選択、そして、とりわけ、「冷えた」電子機器と「暖かい」電子機器の間のインターフェースの側面がある。
【発明の概要】
【発明が解決しようとする課題】
【０００５】
したがって、従来技術の問題と欠陥を念頭に置いて、本発明の目的は、外部環境または暖かい環境から内部環境または寒い環境まで作動する能力を備えた極低温環境で動作可能な接続システムを提供することである。
【０００６】
本発明の別の目的は、現在の最先端の部品よりも高密度なケーブルを実現する接続システムを提供することである。
【０００７】
本発明のさらなる目的は、送信された信号電力から生じる熱エネルギーを低減するために、極低温環境におけるシステムの電気的減衰に対応することである。
【０００８】
本発明の別の目的は、システムのケーブル敷設に従ってハーメティックシールを確立することである。
【０００９】
本発明の別の目的は、量子コンピュータオペレーティングシステム内に設置することができ、ケーブルの極小直径中心導体を損傷することなくコンピュータシステムに容易に取り付けることができる接続システムを提供することである。
【００１０】
本発明のさらに別の目的は、導体に結合された外部の電気信号（ノイズ）を低減するために、極低温環境でのシステム電気フィルタリングに対応することである。
【課題を解決するための手段】
【００１１】
上記並びに当業者にとって明らかなその他の目的は、本発明が提示する、多段ステージを介して信号ケーブルに伝送するための接続システムであって、少なくとも１段のステージが、第１の定インピーダンスレセプタクルコネクタまたは第１の定インピーダンスプラグコネクタにより終端される中心導体を有する第１の信号ケーブルと、第１の信号ケーブルを固定するための第１のコネクタハウジングと、第１のプレートに装着されるヘッダハウジングであって、該ヘッダハウジングが第１の側に装着される第１のヘッダハウジング定インピーダンスレセプタクルコネクタまたは第１のヘッダハウジング定インピーダンスプラグコネクタと、第１の側に対向する第２の側に装着される第２のヘッダハウジング定インピーダンスレセプタクルコネクタまたは第２のヘッダハウジング定インピーダンスプラグコネクタとを有し、第１のコネクタハウジングが定インピーダンスケーブル接続で第１の側にヘッダハウジングを取り付けるように、第１の側の第１のヘッダハウジングコネクタが第１の信号ケーブルの第１の定インピーダンスレセプタクルコネクタまたは第１の定インピーダンスプラグコネクタと相補的である、ヘッダハウジングと、第２の信号ケーブルを包覆する第２のコネクタハウジングであって、第２の信号ケーブルが第２の定インピーダンスレセプタクルコネクタまたは第２の定インピーダンスプラグコネクタにより終端された中心導体を有し、第２のコネクタハウジングが定インピーダンスケーブル接続で第２の側にヘッダハウジングを結合するように、第２の信号ケーブルの第２のコネクタハウジングが第２の側のヘッダハウジング定インピーダンスレセプタクルコネクタまたはヘッダハウジング定インピーダンスプラグコネクタと相補的なコネクタである、第２のコネクタハウジングとを含む、接続システムによって達成される。
【００１２】
接続システムは、第１および第２の側のヘッダハウジングコネクタ間に配置され、そこを通過する中心導体をシーリングするためのシールを含み得る。
【００１３】
ヘッダハウジングは、第１および第２の信号ケーブルの信号減衰および／または電気信号フィルタリングのために、一端がヘッダハウジング定インピーダンスプラグコネクタに、他端がヘッダハウジング定インピーダンスレセプタクルコネクタに接続された取り外し可能なアッテネータまたはフィルタ構成要素を含むこともできる。
【００１４】
第１のプレートは、定インピーダンスのコネクタ、アッテネータ、および／またはフィルタのためのヒートシンクまたは接地電位、あるいはその両方であり得る。
【００１５】
第１のプレートが冷却プレートであってもよい。
【００１６】
第１ケーブルの第１定インピーダンスレセプタクルコネクタまたは第１定インピーダンスプラグコネクタは、第１および第２信号ケーブルの信号減衰および／または電気信号フィルタリングのために埋め込まれたアッテネータまたはフィルタ構成要素を含み得る。
【００１７】
第２ケーブルの第２定インピーダンスレセプタクルコネクタまたは前第２定インピーダンスプラグコネクタは、第１および第２信号ケーブルの信号減衰および／または電気信号フィルタリングのために埋め込まれたアッテネータまたはフィルタ構成要素を含む。
【００１８】
追加の接続システムステージは、少なくとも１つのステージに接続されてもよい。
【００１９】
本発明の第２の態様において、接続システムは、多段ステージを介して信号ケーブルに伝送するための接続システムであって、複数の第１の信号ケーブルであって、該複数の第１の信号ケーブルの少なくとも１つが定インピーダンスレセプタクルコネクタまたは定インピーダンスプラグコネクタにより終端される中心導体を含む、第１の信号ケーブルと、第１の信号ケーブルの各々を固定するための第１のコネクタハウジングと、第１のプレートに装着されるヘッダハウジングであって、該ヘッダハウジングは第１の側に装着される定インピーダンスレセプタクルコネクタまたは定インピーダンスプラグコネクタと第１の側に対向する第２の側に装着される定インピーダンスプラグコネクタまたは定インピーダンスレセプタクルコネクタとを有し、第１のコネクタハウジングが定インピーダンスケーブル接続で第１の側にヘッダハウジングを取り付けるように、第１の側のヘッダハウジングコネクタと複数の第１の信号ケーブルのうちの少なくとも１つの定インピーダンスレセプタクルコネクタまたは定インピーダンスプラグコネクタとが相補的なコネクタを形成する、ヘッダハウジングと、複数の第２の信号ケーブルを有する第２のコネクタハウジングであって、複数の第２の信号ケーブルの少なくとも１つが定インピーダンスレセプタクルコネクタまたは定インピーダンスプラグコネクタにより終端される中心導体を有し、第２のコネクタハウジングが定インピーダンスケーブル接続で第２の側にヘッダハウジングを取り付けるように、第２の信号ケーブルの第２のコネクタハウジングと第２の側のヘッダハウジングコネクタの定インピーダンスレセプタクルコネクタまたは定インピーダンスプラグコネクタとが相補的なコネクタを形成する、第２のコネクタハウジングとを含む。
【００２０】
接続システムは、上方部分および下方部分を有する下方ハウジングステージであって、下方ハウジングステージが第２のプレートに装着され、ヘッダハウジングから第２の側に延びる複数の第２の信号ケーブルに接続するように、下方ハウジングステージの上方部分が複数の修正された定インピーダンスコネクタを含む。
【００２１】
修正された定インピーダンスコネクタはそれぞれ、信号減衰または電気信号フィルタリングのために埋め込まれたアッテネータまたはフィルタ構成要素を含み、下方ハウジングステージ下部は、複数の第３の信号ケーブルで終端する定インピーダンスコネクタレセプタクルまたは定インピーダンスプラグを含む。
【００２２】
第２のプレートは、修正された定インピーダンスコネクタのためのヒートシンクまたは接地電位、あるいはその両方とすることができる。
【００２３】
下方ハウジングステージの上部および下方ハウジングステージの下部に、それぞれ、前記第２のプレートに取り付けられたクランプに取り付けるための延長リブを含むこともできる。
【００２４】
修正された定インピーダンスコネクタアッテネータまたはフィルタは、下方ハウジングステーの上部または下方ハウジングステージの下部に圧入されるのが好ましい。
【００２５】
接続システムは、更に、複数の第２の信号ケーブルを終端するためのプラグハウジングブロックまたはレセプタクルハウジングブロックであって、プラグハウジングブロックが複数の第２の信号ケーブルの各々のための定インピーダンスプラグコネクタ、または複数の第２の信号ケーブルの各々のための定インピーダンスレセプタクルコネクタ、或いはそれらの組合せを含む、プラグハウジングブロックまたはレセプタクルハウジングブロックと、アッテネータハウジング、フィルタハウジング、または両者を装着するための複数の開口を有するアダプタハウジングであって、アッテネータハウジングおよび／またはフィルタハウジングの各々が複数の第２の信号ケーブルの１つの信号ケーブルと関連され、プラグハウジングブロックの相補的な定インピーダンスコネクタと結合するように、アダプタハウジングの第１の側に相補的な定インピーダンスコネクタを有する、アダプタハウジングと、第２の側にアダプタハウジングを結合するためのレセプタクルハウジングブロックであって、複数の第２の信号ケーブルと電気的に接続する定インピーダンスプラグコネクタ、または複数の第２の信号ケーブルと電気的に接続する定インピーダンスレセプタクルコネクタ、或いはそれらの組合せを含み、そしてそこから延びる複数の第３の信号ケーブルを有する、レセプタクルハウジングブロックとを含み、レセプタクルハウジングブロックの相補的な定インピーダンスコネクタがアダプタハウジングの第２側に相補的な定インピーダンスコネクタを結合するように、レセプタクルハウジングブロックがアダプタハウジングの第２の側にアダプタハウジングを結合される。
【００２６】
接続システムは、アッテネータハウジング、フィルタハウジング、またはその両方が、それぞれ、ハウジングアダプタの各開口の内壁への電気的連通関係、熱的連通関係、電磁干渉保護、またはそれらの任意の組み合わせのための弾性コンポーネントを含む。
【００２７】
接続システムは更に、第２下部ハウジングステージを取り付けるための少なくとも１つの追加プレートと、複数の第３信号ケーブルと電気通信する第２の組の複数の修正された定インピーダンスコネクタを備えた下方ハウジングステージと、信号減衰または電気信号フィルタリングのために、それぞれに埋め込まれた第２のアッテネータまたは第２のフィルタ構成要素を備えた第２の組の修正された定インピーダンスコネクタとを含む。
【００２８】
接続システムは、以下の構成をすることもできる。追加のプレートと、少なくとも１つの追加のプレートに第３の信号ケーブルに電気的に接続して装着される第２のプラグハウジングブロックまたはレセプタクルハウジングブロックであって、プラグハウジングブロックが複数の第３の信号ケーブルの各々のための定インピーダンスプラグコネクタ、または複数の第３の信号ケーブルの各々のための定インピーダンスレセプタクルコネクタ、或いはそれらの組合せを含む、第２のプラグハウジングブロックまたはレセプタクルハウジングブロックと、第２のアッテネータハウジング、第２のフィルタハウジング、または両者を装着するための複数の開口を有する第２のアダプタハウジングであって、第２のアッテネータハウジングおよび／または第２のフィルタハウジングの各々が複数の第３の信号ケーブルの１つの信号ケーブルと接続され、そして第２のプラグハウジングブロックの相反的定インピーダンスコネクタと結合するための第２のアダプタハウジングの第１の側に相補的な定インピーダンスコネクタを有する、第２のアダプタハウジングと、第２のアダプタハウジングの第２の側に結合するための第２のレセプタクルハウジングブロックであって、複数の第３の信号ケーブルと電気的に接続する定インピーダンスプラグコネクタ、または複数の第３の信号ケーブルと電気的に接続する定インピーダンスレセプタクルプラグコネクタ、或いはそれらの組合せを含み、そしてそこから延びる複数の第４の信号ケーブルを有する、第２のレセプタクルハウジングブロックとを含み、第２のレセプタクルハウジングブロックの相補的な定インピーダンスコネクタが第２のアダプタハウジングの第２の側の相補的な定インピーダンスコネクタに結合するように、第２のレセプタクルハウジングブロックが第２のアダプタハウジングの第２の側で第２のアダプタハウジングに結合される。
アッテネータは、最大４０ｄＢの減衰を提供することができる。
【００２９】
定インピーダンスレセプタクルコネクタは、整合されたインピーダンスを促進するために中心導体の周りに安定化ボビンを含むこともできる。
【００３０】
第１および第２のアッテネータまたはフィルタがケーシング内にあり、当該ケーシングが前記修正された定インピーダンスコネクタハウジングの内部空洞内に固定されていてもよい。
【００３１】
複数の第２の信号ケーブルまたは前記複数の第３の信号ケーブル、またはその両方は、超伝導ケーブル材料からなってもよい。
【００３２】
本発明の第３の態様において、定インピーダンスコネクタは、接続システムにおける電気信号の電気的減衰または電気的フィルタリングのための定インピーダンスコネクタであって、上方本体部分と下方本体部分とを有するハウジングを含み、上方本体部分が第１の中心導体と接続する定インピーダンスレセプタクルまたはプラグ端部を有し、下方本体部分が第２の中心導体と接続する定インピーダンスプラグまたはレセプタクル端部を有し、第２のハウジング部分が第１のハウジング部分に着脱自在に取付け可能であり、ハウジング上方本体部分、ハウジング下方本体部分、または両者がその中に組み込まれるアッテネータまたはフィルタ構成要素を固定するための内部空洞を形成し、アッテネータまたはフィルタ構成要素が第１および第２の中心導体における電気信号を減衰またはフィルタリングする。
【００３３】
本発明の第４の態様において、アダプタは、両端が定インピーダンスレセプタクルまたは定インピーダンスプラグで終端されたアダプタハウジング内に、アッテネータコンポーネントまたはフィルタ構成要素を備え、アッテネータまたはフィルタを定インピーダンス信号ケーブルに実装するためのアダプタである。
【００３４】
アダプタは、一方の側で前記アダプタハウジングと機械的、電気的、および／または熱的に連通関係を有し、他方の側でアダプタハウジング取付け構造と機械的、電気、および／または熱的に連通関係を有する弾性部品を含むことができ、それにより、 前記アダプタハウジング取付け構造と接続する前記弾性部品は、前記アダプタを通過する信号のために、ヒートシンク、接地電位、電磁干渉保護、またはそれらの任意の組み合わせを提供する。
【００３５】
本発明の第５の態様は、多段ステージ接続システムにおける電気ケーブルの接続方法であって、第１の定インピーダンスレセプタクルコネクタまたは第１の定インピーダンスプラグコネクタにより終端される中心導体を有する第１の信号ケーブルを第１のコネクタハウジングに接続し、ヘッダハウジングの第１の側に装着された第１のヘッダハウジング定インピーダンスレセプタクルコネクタまたは第１のヘッダハウジング定インピーダンスプラグコネクタを取り付け、第１の側に対向するヘッダハウジングの第２の側に取り付けられた第２のヘッダハウジング定インピーダンスレセプタクルコネクタまたは第２のヘッダハウジング定インピーダンスプラグコネクタを取り付け、そこにおいて、第１のコネクタハウジングが定インピーダンスケーブル接続で第１の側のヘッダハウジングに結合するように、第１の側の第１のヘッダハウジングコネクタが第１の信号ケーブルの第１のヘッダハウジング定インピーダンスレセプタクルコネクタまたは第１のヘッダハウジング定インピーダンスプラグコネクタと相補的であり、ヘッダハウジングを第１のプレートに取り付け、第２のコネクタハウジングに第２の信号ケーブルを接続し、そこにおいて、第２の信号ケーブルが第２の定インピーダンスレセプタクルコネクタまたは第２の定インピーダンスプラグコネクタによって終端された中心導体を有し、第２のコネクタハウジングが定インピーダンスケーブル接続で第２の側にヘッダハウジングを取り付けるように、第２の信号ケーブルの第２のコネクタハウジングが第２の側でヘッダハウジング定インピーダンスレセプタクルコネクタまたはヘッダハウジング定インピーダンスプラグコネクタと相補的なコネクタであり、そして、第２のコネクタハウジングをヘッダハウジングに取り付けることにより第１のステージ接続を形成することを含む、接続方法である。
【００３６】
本発明の接続方法は、第１および第２の側の前記ヘッダハウジングコネクタ間に位置するシールを挿入して、そこを通過する前記中心導体をシールすることを含む。
【００３７】
本接続方法は更に、第１および第２の信号ケーブルの信号減衰および／または電気信号フィルタリングのために、一端でヘッダハウジング定インピーダンスプラグコネクタに、および反対の端でヘッダハウジング定インピーダンスレセプタクルコネクタに、取り外し可能なアッテネータまたはフィルタ構成要素を接続することを含む。
【００３８】
アダプタハウジング内の取り外し可能であり挿入可能なアダプタ内に減衰またはフィルタリングコンポーネントまたはその両方を埋め込んでもよい。
【００３９】
アダプタハウジングの一端を前記ヘッダハウジング定インピーダンスプラグコネクタに接続し、反対側の端を前記ヘッダハウジング定インピーダンスレセプタクルコネクタに接続してもよい。
【００４０】
本接続方法は更に、第２のステージ接続を前記第１のステージ接続に電気的に接続することを含む。第２のステージ接続は、第２のステージ上部コネクタハウジング、プレートに取り付けられた第２のステージヘッダハウジング、および第２のステージ下部コネクタハウジングを含み、相補的な定インピーダンスプラグおよびレセプタクルが前記第２のステージ上部に取り付けられ、前記第２のステージヘッダハウジング、および前記第２のステージ下部コネクタハウジングは、そこを通過する信号ケーブルのための定インピーダンス電気接続を形成する。
【００４１】
新規であると考えられる本発明の特徴および本発明の特徴的な要素は、添付の特許請求の範囲に詳細に記載されている。図は説明のみを目的としており、縮尺通りに描かれているわけではない。しかしながら、本発明の構成および動作方法については、添付の図面と併せて以下の詳細な説明を参照することにより最もよく理解され得る。
【図面の簡単な説明】
【００４２】
【図１】本発明のコネクタシステムの一実施形態の斜視図である。
【図２】ハーメティックヘッダハウジングが取り付けられた図１のコネクタシステムの上部プレートの断面図である。
【図３】図２のトッププレートに接続するためのコネクタハウジングを備えた入力ケーブルの例を示す図である。
【図４】信号の減衰が達成されるコネクタシステムの中央ステージを示す図である。
【図５】それぞれの開口内にある複数のアッテネータまたはフィルタ構成要素を囲むアダプタハウジングの分解斜視図である。
【図６】図５のアダプタハウジング内に挿入可能なアッテネータまたはフィルター部品の断面図である。
【図７】図５のアダプタハウジングの分解斜視図である。尚、アダプタハウジングに挿入されたアッテネータまたはフィルタ構成要素を露出させるために開口部の一部は省略されている。
【図８】図５のアダプタハウジングの一方の側に取り付けられたプラグハウジングブロックと、アダプタハウジングの他方の側に取り付けられたレセプタクルハウジングブロックを示す図である。
【図９】減衰アダプタおよびプラグコネクタを備えたアダプタハウジングに結合されたハウジングブロックの断面を示す図である。
【図１０】減衰アダプタの交換のためのハウジングブロックの分離、およびそこから取り外された減衰アダプタを示す図である。
【図１１】分離されたハウジングブロックと、新しい減衰アダプタまたは他のコンポーネントの交換を示す図である。
【発明を実施するための形態】
【００４３】
本発明の好ましい実施形態を図１から図１１を参照しながら説明する。同じ符号は、本発明の同じ特徴を示している。
【００４４】
本発明は、電気信号の接続システムを提供する。本発明は、コンピュータアーキテクチャ、好ましくは量子コンピュータアーキテクチャに用いられるが、コンピュータアーキテクチャ以外の使用を禁止するものではない。例示の目的で、本発明の接続システムの適用はコンピュータアーキテクチャで実証されている。ただし、接続システムを使用した電気信号保護の他の用途を除外するものではない。
【００４５】
一の実施形態では、本発明は、極低温環境での動作に有用であるが、本発明は極低温環境の用途に限定されない。それ以外の場合は内部システムに熱影響を与える入力電力を削減する必要性は、専用の定インピーダンスコネクタのハウジングに埋め込まれた、または定インピーダンス接続を延長するように設計されたアダプタとして形成されたアッテネータの導入により軽減される。両方の場合において、コネクタは、冷却プレートなどのヒートシンク要素に直接熱接続するように設計されている。同様に、本発明は、アッテネータの代わりに、またはアッテネータに加えて、専用の定インピーダンスコネクタのハウジング内に埋め込まれるか、定インピーダンス接続を延長するアダプタとして取り付けられるフィルタにも対応し得る。
【００４６】
アッテネータの埋め込みまたは定インピーダンスコネクタを延長する減衰アダプタを提供する設計は、コネクタまたはアダプタハウジング内のフィルタリングコンポーネントの実装に役立ち、信号線における不当な接続を低減する。このようにして、電気的に接続されたノイズの少なくとも一部を、極低温に冷却された環境のより冷たい部分に移動する前に接地することにより、ライン上の外部電力がさらに削減される。
【００４７】
標準化された定インピーダンスコネクタは、モジュラーアプリケーションに見られる大きな半径方向および軸方向の位置ずれ許容値に適応する。シカゴのフェニックス社の関連会社であるコネチカット州ノーガタックのPalco Connector, Inc. のＰｋＺ（商標）コネクタに見られる定インピーダンス技術は、低挿入力で内部係合バネなしに定インピーダンスを保証する。これらのコネクタは、システムとコネクタの公差の問題によって引き起こされる、より大きなZ軸の嵌合ギャップにわたって定インピーダンスを維持することにより、一貫したパフォーマンスを提供する。これは、一般にねじが切られており、低温でのコンポーネントの動きに対応できない先行技術のＳＭＡコネクタよりも有利である。この設計では、Palco ＰｋＺ（商標）コネクタが、厳しい環境で信号の整合性を維持する模範的な定インピーダンスコネクタとして実装されている。
【００４８】
動作信号は、通常４０ＧＨｚ未満の周波数のＲＦ信号またはデジタル信号のいずれかであるが、約１ワットの最大電力で４０ＧＨｚから６０ＧＨｚの高さになる場合がある。 これは、２０ＧＨｚ未満のオーダーで動作する当技術分野で現在見られるＳＭＡコネクタとは対照的である。
【００４９】
図１は、本発明のコネクタシステム１の一実施形態の斜視図である。入力信号は、ケーブルを取り付けて接続するブロックを介してコネクタシステム1を通過する。上部プレート２は、低度な温度制御環境のような、外部の制御されていない環境またはあまり制御されていない環境からの入力ケーブル２０を受け取る。ケーブルの中心導体は、ハーメティックシールを固定および維持する方法で上部プレート２を通過する。上部プレート２を通過した後、信号は少なくとも1つの追加プレート４を通る配線を介して運ばれる。追加のプレート４は、ヒートシンクに使用されるプレートであり、より好ましくは、複数のプレートであり、極低温用に温度を低下し維持する。このようなプレートは、熱エネルギーのヒートシンクとして機能し、熱エネルギーがコネクタシステムに更に伝わらないようにするのに役立つ。次に、信号はケーブルを介して、上部プレート２の下流にあり、ＰｋＺ（商標）コネクタなどの修正された定インピーダンスコネクタを使用する下部ハウジングステージ８に接続される。次に、信号線は底部ハウジングステージ１０まで移動し、そこを通って信号線が内部コンピュータ電子機器に進む。
【００５０】
以下で更に詳細に説明するように、定インピーダンス接続の変更は、異なる個別の設計および異なる段階で提示されてもよい。例えば、第１の実施形態では、アッテネータまたはフィルタは、定インピーダンスコネクタレセプタクルまたはプラグのいずれかに埋め込まれている。図４に示すように、コネクタレセプタクルはレセプタクルハウジングブロック９ａに取り付けられ、コネクタプラグはプラグハウジングブロック９ｂに取り付けられ、それにより、レセプタクルハウジングブロック９ａがプラグハウジングブロック９ｂに嵌合すると、レセプタクルおよびプラグコネクタも嵌合する。このことは、適切な接続位置合わせとハウジングブロックを介した熱放散とを可能にする。
【００５１】
第２の実施形態では、アッテネータコンポーネントまたはフィルタ構成要素アダプタは、それ自体のアダプタ本体内で使用され、その後、好ましくは複数のアダプタ本体を収容するアダプタハウジングに取り付けられる。次に、アダプタハウジングを冷蔵プレートなどのプレートに取り付ける。アダプタハウジングは、一方の側にレセプタクルハウジングブロックからのコネクタを、他方の側にプラグハウジングブロックからのコネクタを接続される。アダプタハウジングは、両側のレセプタクルハウジングブロックからコネクタを、または両側のプラグハウジングブロックからコネクタを受け入れるように設計することもできる。これにより、どちらの実施形態でも、アダプタハウジングの両側で定インピーダンス接続が行われる。
【００５２】
アッテネータは、シグナルインテグリティを変えることなく、各中心導体の電力を下げる。冷却用途では、減衰された信号からの過剰な熱エネルギーは、そのとき、ハウジングを介して冷却プレートなどのヒートシンクに放散される。システムは、複数のそのようなヒートシンクを収容するように設計されている。追加のプレートには、更に信号を調整するための減衰コンポーネントが追加される場合がある。そして、外部ケーブルは、下部ハウジングステージ１０からコンピュータの内部電子機器、そして最終的にはプロセッサまで延びている。
【００５３】
他の用途では、非磁性材料は不要であろうが、量子コンピュータアプリケーション内の接続システムの最適な動作のために、接続システムの材料のほとんどまたはほぼ全てが非磁性材料で設計されていることに留意すべきである。
【００５４】
図２は、ハーメティックヘッダハウジング２１を備えたコネクタシステム１のトッププレート２の断面図である。上部プレート２は、信号線にハーメティックシールを導入する。これは、上部プレート２にハーメティックヘッダハウジング２１を取り付けることで実現される。ハーメティックヘッダハウジング２１は、上部プレート２の開口部を貫通する。このようにして、下流の信号ケーブルと電子機器は外部環境から密閉される。本実施形態では、上部プレート２の片側で、入ってくるケーブル２０がコネクタハウジング２２ａに取り付けられている。コネクタハウジング２２ａは、定インピーダンスレセプタクルコネクタ２４ａで信号ケーブルを終端する。あるいは、設計機能を損なうことなくレセプタクルとプラグを交換できるため、信号ケーブルは定インピーダンスプラグコネクタで終端することができる。次に、コネクタハウジング２２ａは、ハーメティックヘッダハウジング２１の上側に接続する。その上部側のハーメティックヘッダハウジング２１は、コネクタハウジング２２ａの定インピーダンスレセプタクル２４ａと嵌合するためのレセプタクルインピーダンスプラグ２４ｂを有する。中心導体２５は、ハーメティックヘッダハウジング２１内の気密シール材料２７を通っている。ハーメティックヘッダハウジング２１の底面と相関する上部プレート２の底面には、各信号線に対して定インピーダンスのプラグ２４ｃが設置されている。次に、コネクタハウジング２２ｂは、ハーメティックヘッダハウジング２１の底面に接続する。コネクタハウジング２２ｂは、定インピーダンスプラグ２４ｃと嵌合するレセプタクル定インピーダンスレセプタクルコネクタ２４ｄを有する。
【００５５】
図３は、コネクタハウジング２２に設置するための入力ケーブル２０の例示的な実施形態を示している。第１の標準的な定インピーダンスレセプタクル２４ａが取り付けられている。標準のＰｋＺ（商標）レセプタクルは、パルココネクタ社から入手可能なものなどの市販のタイプの定インピーダンスコネクタ、またはその同等物であることが好ましい。レセプタクルを用いる場合にはプラグコネクタを、プラグコネクタを用いる場合にはレセプタクルコネクタを、定インピーダンス接続を劣化させることなく使用できることに注意すべきである。
【００５６】
以下でさらに詳細に説明するように、他の実施形態では、第２の定インピーダンスレセプタクルと嵌合する第２の定インピーダンス嵌合プラグを導入することができる。第２のレセプタクルは、異なるケーブルを収容するための異なる内部終端を必要とするため、上記の第１のレセプタクルから変更され、一般的なケーブル配線材料からケーブル３２（超電導ケーブル配線材料）に接続を進めることができる。
【００５７】
外部環境から低温冷却環境への信号ケーブル配線に続いて、ハーメティックシールステージを介して、ケーブル配線はコネクタハウジング２２ｂから下部ハウジングステージ８まで延びている。図４は、下部ハウジングステージ８の一部の断面図を示している。この実施形態では、定インピーダンスコネクタのアッテネータは、レセプタクルハウジング９ａ内に圧入されており、したがって交換可能ではなく、容易に修理することもできない。他の実施形態では、アッテネータは、クリップリングまたは機械的保持固定リングによって固定されてもよい。第２の実施形態に示されるように、アッテネータまたはフィルタアダプタは交換可能であり、各端でそれぞれの定インピーダンスレセプタクルまたはプラグに接続される。
【００５８】
図４のレセプタクルハウジングブロック９ａは、埋め込まれたアッテネータ３８を利用してケーブル信号を減衰する。ケーブル配線３２には、定インピーダンス［ＰｋＺ（商標）］レセプタクル３６が含まれている。ＰｋＺ（商標）レセプタクル３６は、内部にアッテネータ３８を含むように変更されている。アッテネータ３８は、個別のアッテネータ電子部品から形成されてもよい。ＰｋＺ（商標）コネクタ上部ハウジング本体部４２および下部ハウジング本体部４３など、上部本体部と下部本体部を備えた修正定インピーダンスコネクタハウジング内に挿入できる寸法であれば、他のアッテネータコンポーネントを使用できる。アッテネータ３８は、システム要件に応じて任意のレベルの減衰ができる。一の実施形態では、２０ｄＢアッテネータが使用される。アッテネータ３８は、変更されたＰｋＺ（商標）レセプタクル３６内に固定されたアッテネータハウジング４０内に閉じ込められる。
【００５９】
ケーブル信号を減衰させることにより、ケーブルからエネルギーが除去され、アッテネータを介して隣接するプレートに分流される。このようにして、熱エネルギーは下流の内部コンピュータ電子機器から遠ざけられる。
【００６０】
次に、定インピーダンスのレセプタクル３６は、嵌合プラグハウジングブロック９ｂ内に挿入されて固定される嵌合プラグ４４に嵌合される。嵌合プラグ４４は、信号導体をケーブル４６まで延長し、ケーブル４６は、特定の状況下では超伝導ケーブルであってもよい。ケーブル４６は、必ずしもケーブル３２と同じ材料である必要はなく、任意の嵌合プラグは、超伝導ケーブル材料を含む異なる導電性ケーブル材料に適合するように設計され得る。
【００６１】
レセプタクルおよびプラグハウジングブロック９ａ、９ｂは、専用のクランプ５０ａ、ｂを介して下部ハウジングステージ８に取り付けられ、熱連通している。
クランプ５０ａ、ｂはそれぞれ、各ハウジングブロック９ａ、ｂの周囲に延長リブ４８ａ、ｂを保持するようにそれぞれ設計されている。クランプ５０ａ、ｂは、ねじまたは他の取り外し可能な取り付け方式を介して、一方の側で下部ハウジングステージ８に機械的に固定されている。クランプ５０ｂの底面は、下部ハウジングステージ８と熱的に伝通している。
【００６２】
ケーブル４６は、プラグハウジングブロック９ｂから延び、ヒートシンクを利用することができ、上記と同じ方法で構成することができる１つ以上のプレートを横断することができる。
【００６３】
図５は、それぞれがそれぞれの開口部７４内にある複数のアッテネータまたはフィルタ構成要素７２を囲むアダプタハウジング７０の分解斜視図を示している。図５において、円筒形の開口部として示されているが、本発明はこの形状に限定されない。アダプタハウジング７０は、好ましくはヒートシンクプレート、または熱エネルギーを伝達するための熱伝導、フィルタリングされた信号ノイズを除去するための接地電位、またはその両方を提供する金属構造であるプレート７６に取り付けられる。プラグハウジングブロック７８が一方の側でアダプタハウジング７０に取り付けられ、レセプタクルハウジングブロック８０が他方の側でアダプタハウジング７０に取り付けられる。プラグおよびレセプタクルハウジングブロック７８、８０は、それぞれ、各側のアダプタハウジング７０へのケーブル接続のために、それぞれレセプタクルまたはプラグポーションコンポーネント８２、８４の定インピーダンスコネクタの嵌合部を収容する。
【００６４】
このようにして、レセプタクルまたはプラグポーションコンポーネント８２、８４の一端は、定インピーダンス接続が形成されるように、相補アッテネータまたはフィルタ構成要素７２と嵌合するように設計された嵌合定インピーダンスコネクタレセプタクルまたはプラグである。嵌合アタッチメントは、アッテネータまたはフィルタ構成要素７２の受信アタッチメントにスライド可能に接続される。この設計により、アッテネータまたはフィルタ構成要素７２は、アッテネータコンポーネントがフィルタ構成要素で置き換えられ得る限り、交換可能であり、逆もまた同様である。実例として、プラグハウジングブロック７８はＰｋＺ（商標）プラグで描かれ、レセプタクルハウジングブロック８０はＰｋＺ（商標）レセプタクルで描かれている。本発明は、定インピーダンス接続が依然として維持されるように、プラグとレセプタクルの交換にも対応することができる。
【００６５】
図６は、アッテネータまたはフィルタ部品７２の部分断面図を示している。このコンポーネントは、各端に導電接続９６、９８を備えたそれ自体の取り外し可能なケーシング９０に含まれるアッテネータまたはフィルタ回路を含む。このアッテネータまたはフィルタ構成要素７２は、アダプタハウジング７０の開口部７４内に挿入可能である。
【００６６】
弾性のある熱伝導性および／または導電性のコンポーネント１００は、アッテネータまたはフィルタ構成要素７２の外側に取り付けられ、挿入時にアッテネータまたはフィルタ構成要素７２から開口部７４の内壁に熱エネルギーを伝達する。弾性のある熱伝導性または導電性のコンポーネント１００は、開口部７４の内壁に対してスライド可能で圧縮可能な接続を形成するためにばねまたは他の弾性構造に形成できる。弾性のあるコンポーネント１００は、熱伝導性および／または電磁干渉保護の改善を保証しながら、圧入装置（上記の第１の実施形態によって示されているような）が提供できない動きおよび柔軟性を提供する。
【００６７】
図７は、そこに挿入されたアッテネータまたはフィルタ構成要素７２を露出させるために開口部７４の一部が省略されて示されているアダプタハウジング７０の分解斜視図を示している。ここに示されているように、弾性コンポーネント１００は、コンポーネント７２の最外側が開口部７４の内壁に圧着して嵌合するように、アッテネータまたはフィルタ構成要素７２の円周方向に取り付けられている。
【００６８】
図８から１１は、コンピュータアプリケーションで接続システムを結合する方法の手順を示している。図８に示すように、固定具を用いて、アダプタハウジング７０の一方の側にプラグハウジングブロック７８が取り付けられ、アダプタハウジング７０の他方の側にレセプタクルハウジングブロック８０が取り付けられる。アダプタハウジング７０には減衰アダプタが装着されている。
【００６９】
図９は、減衰アダプタ７２およびプラグコネクタ８２、８４と共に、アダプタハウジング７０に嵌合されたプラグハウジングブロック７８、８０の断面を示している。
【００７０】
減衰アダプタ７２を交換するために、プラグハウジングブロックとレセプタクルハウジングブロックの両方の固定具が取り外されている。その後、コネクタハウジングを取り外し、減衰アダプタを取り外して交換される。図１０は、減衰アダプタの交換のために分離されたハウジングブロックと、そこから除去された減衰アダプタを示している。
【００７１】
コネクタハウジングを分離した後、適切なツールを使用して減衰アダプタを取り外すことができる。この時点で、接続システム環境外で作業するためにハウジング全体を取り外したり、異なる減衰アダプタおよび／または他のコンポーネントを含む別のハウジングに交換したりできる。
【００７２】
図１１は、分離されたハウジング７８、８０、および新しい減衰アダプタまたは他のコンポーネント８５の交換を示している。図１２は、新しい減衰アダプタ８５を備えたコネクタハウジング７８、８０およびアダプタハウジング７０の再組み立てを示している。
【００７３】
好ましい実施態様とともに本発明を特に説明したが、先述の説明に照らして、多くの代替、修正および変形が当業者にとって明らかであろうことは明白である。したがって、添付の特許請求の範囲は、本発明の真の範囲および精神に含まれるものとして、そのような代替、修正、および変形を包含すると考えられる。
【図１】
2020523770.tif 000003
【図２】
2020523770.tif 000004
【図３】
2020523770.tif 000005
【図４】
2020523770.tif 000006
【図５】
2020523770.tif 000007
【図６】
2020523770.tif 000008
【図７】
2020523770.tif 000009
【図８】
2020523770.tif 000010
【図９】
2020523770.tif 000011
【図１０】
2020523770.tif 000012
【図１１】
2020523770.tif 000013
【手続補正書】
【提出日】令和2年1月30日(2020.1.30)
【手続補正１】
【補正対象書類名】特許請求の範囲
【補正対象項目名】請求項２９
【補正方法】変更
【補正の内容】
【請求項２９】
多段ステージ接続システムにおける電気ケーブルの接続方法であって、
定インピーダンスレセプタクルコネクタまたは定インピーダンスプラグコネクタにより終端される中心導体を有する第１の信号ケーブルを、相補的に受容する第１の定インピーダンスレセプタクルまたはプラグコネクタを有するヘッダハウジングに接続し、
ヘッダハウジングの第１の定インピーダンスレセプタクルコネクタまたはヘッダハウジングの第１の定インピーダンスプラグコネクタをヘッダハウジングの第１の側に取り付け、
第１の側に対向するヘッダハウジングの第２の側に、ヘッダハウジングの第２の定インピーダンスレセプタクルコネクタまたはヘッダハウジングの第２の定インピーダンスプラグコネクタを取り付け、そこにおいて、第１の信号ケーブルが定インピーダンスケーブル接続でヘッダハウジングの第１の側に結合するように、第１の側のヘッダハウジングの第１のコネクタが第１の信号ケーブルのヘッダハウジングの第１の定インピーダンスレセプタクルコネクタまたはヘッダハウジングの第１の定インピーダンスプラグコネクタと相補的であり、
ヘッダハウジングを第１のプレートに取り付け、
ヘッダハウジングに第２の信号ケーブルを接続し、そこにおいて、第２の信号ケーブルが定インピーダンスレセプタクルコネクタまたは定インピーダンスプラグコネクタによって終端された中心導体を有し、第２の信号ケーブルが定インピーダンスケーブル接続でヘッダハウジングの第２の側に結合するように、第２の信号ケーブルの定インピーダンスレセプタクルコネクタまたは第２の信号ケーブルの定インピーダンスプラグコネクタが第２の側でヘッダハウジングの第２の定インピーダンスレセプタクルコネクタまたはヘッダハウジングの第２の定インピーダンスプラグコネクタと相補的なコネクタであり、そして
第２のコネクタハウジングをヘッダハウジングに取り付ける
ことにより第１のステージ接続を形成することを含む、接続方法。
【手続補正２】
【補正対象書類名】明細書
【補正対象項目名】００３５
【補正方法】変更
【補正の内容】
【００３５】
本発明の第５の態様は、多段ステージ接続システムにおける電気ケーブルの接続方法であって、定インピーダンスレセプタクルコネクタまたは定インピーダンスプラグコネクタにより終端される中心導体を有する第１の信号ケーブルを、相補的に受容する第１の定インピーダンスレセプタクルまたはプラグコネクタを有するヘッダハウジングに接続し、ヘッダハウジングの第１の定インピーダンスレセプタクルコネクタまたはヘッダハウジングの第１の定インピーダンスプラグコネクタをヘッダハウジングの第１の側に取り付け、
第１の側に対向するヘッダハウジングの第２の側に、ヘッダハウジングの第２の定インピーダンスレセプタクルコネクタまたはヘッダハウジングの第２の定インピーダンスプラグコネクタを取り付け、そこにおいて、第１の信号ケーブルが定インピーダンスケーブル接続でヘッダハウジングの第１の側に結合するように、第１の側のヘッダハウジングの第１のコネクタが第１の信号ケーブルのヘッダハウジングの第１の定インピーダンスレセプタクルコネクタまたはヘッダハウジングの第１の定インピーダンスプラグコネクタと相補的であり、  ヘッダハウジングを第１のプレートに取り付け、  ヘッダハウジングに第２の信号ケーブルを接続し、そこにおいて、第２の信号ケーブルが定インピーダンスレセプタクルコネクタまたは定インピーダンスプラグコネクタによって終端された中心導体を有し、第２の信号ケーブルが定インピーダンスケーブル接続でヘッダハウジングの第２の側に結合するように、第２の信号ケーブルの定インピーダンスレセプタクルコネクタまたは第２の信号ケーブルの定インピーダンスプラグコネクタが第２の側でヘッダハウジングの第２の定インピーダンスレセプタクルコネクタまたはヘッダハウジングの第２の定インピーダンスプラグコネクタと相補的なコネクタであり、そして第２のコネクタハウジングをヘッダハウジングに取り付けることにより第１のステージ接続を形成することを含む、接続方法である。
【手続補正３】
【補正対象書類名】明細書
【補正対象項目名】００７２
【補正方法】変更
【補正の内容】
【００７２】
図１１は、分離されたハウジング７８、８０、および新しい減衰アダプタまたは他のコンポーネント８５の交換を示している。
【国際調査報告】
2020523770.tif 000014
2020523770.tif 000015
2020523770.tif 000016